(57)【要約】【課題】物理センサの周囲の周辺装置の動作状況の情報を記述する仮想センシングデータを生成する技術を提供する。【解決手段】データ生成装置は、判定対象となる状況項目に対して定められた複数の判定基準から、物理センサの周囲の状況についての第１の判定結果を表す第１の仮想センシングデータに対応する１つの判定基準を選択する選択部と、状況項目のそれぞれについて、選択された判定基準を用いて、物理センシングデータに基づいて、物理センサの周囲の周辺装置の動作状況を判定し、この状況についての判定結果を表す第２の仮想センシングデータを生成する判定部とを具備する。【選択図】      図１
2019101742.tif 000002
【特許請求の範囲】
【請求項１】
物理センサがセンシング対象を観測することよって得られた物理センシングデータを取得する第１の取得部と、
前記物理センサの周囲の状況についての判定結果を表す第１の仮想センシングデータを取得する第２の取得部と、
判定対象となる状況項目に対して定められた複数の判定基準を取得する第３の取得部と、
取得された前記複数の判定基準から前記第１の仮想センシングデータに対応する１つの判定基準を選択する選択部と、
前記状況項目のそれぞれについて、選択された前記判定基準を用いて、取得された前記物理センシングデータに基づいて前記物理センサの周囲の周辺装置の動作状況を判定し、当該周辺装置の動作状況についての判定結果を表す第２の仮想センシングデータを生成する判定部と
を具備する、データ生成装置。
【請求項２】
前記判定基準は、前記物理センシングデータの生データおよび当該生データの加工済データのうち少なくとも１つに対する基準値を含む、請求項１に記載のデータ生成装置。
【請求項３】
前記判定基準は、当該判定基準に対応付けられる第１の仮想センシングデータの示す状況の下で生成された学習用物理センシングデータから、周辺装置の動作状況を判定する機械学習を行うことで作成された学習済みモデルを含む、請求項１に記載のデータ生成装置。
【請求項４】
前記状況項目は、前記物理センシングデータを生成する物理センサの周囲での照明の動作状況の情報を扱う第１の項目、前記物理センサの周囲での換気扇の動作状況の情報を扱う第２の項目、前記物理センサの周囲での冷蔵庫の動作状況の情報を扱う第３の項目、および前記物理センサの周囲での電子レンジの動作状況の情報を扱う第４の項目のうち少なくとも１つを含む、請求項１乃至請求項３のいずれか１項に記載のデータ生成装置。
【請求項５】
前記状況項目は、前記第１の項目を含み、
前記物理センシングデータは、照度データおよび音圧データのうちの少なくとも１つを含み、
前記判定部は、前記照度データおよび前記音圧データそれぞれの生データおよび当該生データの加工済データのうちの少なくとも１つに対して前記選択された判定基準を適用し、前記第１の項目について判定を行う、
請求項４に記載のデータ生成装置。
【請求項６】
前記状況項目は、前記第２の項目を含み、
前記物理センシングデータは、気圧データおよび音圧データのうちの少なくとも１つを含み、
前記判定部は、前記気圧データおよび前記音圧データそれぞれの生データおよび当該生データの加工済データのうちの少なくとも１つに対して前記選択された判定基準を適用し、前記第２の項目について判定を行う、
請求項４に記載のデータ生成装置。
【請求項７】
前記状況項目は、前記第３の項目を含み、
前記物理センシングデータは、音圧データおよび温度データのうちの少なくとも１つを含み、
前記判定部は、前記音圧データおよび前記温度データそれぞれの生データおよび当該生データの加工済データのうちの少なくとも１つに対して前記選択された判定基準を適用し、前記第３の項目について判定を行う、
請求項４に記載のデータ生成装置。
【請求項８】
前記状況項目は、前記第４の項目を含み、
前記物理センシングデータは、音圧データ、温度データおよび湿度データのうちの少なくとも１つを含み、
前記判定部は、前記音圧データ、前記温度データおよび前記湿度データそれぞれの生データおよび当該生データの加工済データのうちの少なくとも１つに対して前記選択された判定基準を適用し、前記第４の項目について判定を行う、
請求項４に記載のデータ生成装置。
【請求項９】
請求項１乃至請求項８のいずれか１項に記載のデータ生成装置と、
前記物理センサと
を具備する、センサ装置。
【請求項１０】
コンピュータが、
物理センサがセンシング対象を観測することよって得られた物理センシングデータを取得することと、
前記物理センサの周囲の状況についての判定結果を表す第１の仮想センシングデータを取得することと、
判定対象となる状況項目に対して定められた複数の判定基準を取得することと、
取得された前記複数の判定基準から前記第１の仮想センシングデータに対応する１つの判定基準を選択することと、
前記状況項目のそれぞれについて、選択された前記判定基準を用いて、取得された前記物理センシングデータに基づいて前記物理センサの周囲の周辺装置の動作状況を判定し、当該周辺装置の動作状況についての判定結果を表す第２の仮想センシングデータを生成することと
を具備する、データ生成方法。
【請求項１１】
コンピュータに、
物理センサがセンシング対象を観測することよって得られた物理センシングデータを取得することと、
前記物理センサの周囲の状況についての判定結果を表す第１の仮想センシングデータを取得することと、
判定対象となる状況項目に対して定められた複数の判定基準を取得することと、
取得された前記複数の判定基準から前記第１の仮想センシングデータに対応する１つの判定基準を選択することと、
前記状況項目のそれぞれについて、選択された前記判定基準を用いて、取得された前記物理センシングデータに基づいて前記物理センサの周囲の周辺装置の動作状況を判定し、当該周辺装置の動作状況についての判定結果を表す第２の仮想センシングデータを生成することと
を実行させるための、データ生成プログラム。
【発明の詳細な説明】
【技術分野】
【０００１】
本開示は、データ生成装置、データ生成方法、データ生成プログラムおよびセンサ装置に関する。
【背景技術】
【０００２】
実際に配置されるセンサ（物理センサ）の他に、１つまたは複数の物理センサがそのセンシング対象を観測することによって生成されるセンシングデータ（物理センシングデータ）を分析・加工し、新たなセンシングデータ（仮想センシングデータ）を生成する仮想センサの技術（プログラムモジュール）が知られている。利用者の要求に合致したセンシングデータを生成する仮想センサを設計すれば、そのような物理センサが実際には存在しなくても、利用者は所望のセンシングデータを利用することができる。
【０００３】
特許文献１には、「コンセントやタップに接続された家電機器に供給する電力の電圧波形や電流波形や電圧値、電流量から、家電機器毎に必要とする（家電機器が要求する）リアルタイムでの電力量、つまり要求電力量、コンセントやタップ内部にて計測」し、「その計測結果をコンセントやタップ内の演算装置において演算し、電圧波形及び電流波形のパターンとして認識・解析する」ことで、「コンセントやタップに接続された家電機器が何であるかを識別したり、それぞれの家電機器の運転状況、不具合の発生等を検知する」ことが開示されている（［００２７］）。
【先行技術文献】
【特許文献】
【０００４】
【特許文献１】特開２０１６−２８５４５号公報
【発明の概要】
【発明が解決しようとする課題】
【０００５】
特許文献１の技法は、「電力測定手段を備えたタップであるスマートタップ」（［００１５］）を用いる必要があり、このスマートタップは、温度センサなどの他の多くのセンシングデバイスに比べて高価である。また、このスマートタップを、「建築物の壁面、柱、天井、床、家具等の構造物や設備に埋め込まれる埋め込み型コンセント」（［００２９］）とする場合には、特殊な工事が必要となり、よりコストが高くなる。
【０００６】
また、状況は、様々な要素から成り立っている。故に、物理センシングデータに基づいて状況のある要素について判定を行う場合に、別の要素によるノイズ等が影響を及ぼすことがあり得る。
【０００７】
本開示は、物理センサの周囲の周辺装置の動作状況の情報を記述する仮想センシングデータを生成する技術を提供することを目的とする。
【課題を解決するための手段】
【０００８】
本開示の第１の側面に係るデータ生成装置は、物理センサがセンシング対象を観測することよって得られた物理センシングデータを取得する第１の取得部と、前記物理センサの周囲の状況についての判定結果を表す第１の仮想センシングデータを取得する第２の取得部と、判定対象となる状況項目に対して定められた複数の判定基準を取得する第３の取得部と、取得された前記複数の判定基準から前記第１の仮想センシングデータに対応する１つの判定基準を選択する選択部と、前記状況項目のそれぞれについて、選択された前記判定基準を用いて、取得された前記物理センシングデータに基づいて前記物理センサの周囲の周辺装置の動作状況を判定し、当該周辺装置の動作状況についての判定結果を表す第２の仮想センシングデータを生成する判定部とを具備する。
【０００９】
このデータ生成装置によれば、第１の仮想センシングデータの示す状況によるノイズ等の影響が考慮された判定基準を用いることができるので、物理センサの周囲の周辺装置の動作状況を正確に判定することが可能となる。
【００１０】
第１の側面に係るデータ生成装置において、前記判定基準は、前記物理センシングデータの生データおよび当該生データの加工済データのうち少なくとも１つに対する基準値を含んでもよい。これにより、判定基準に含まれる基準値と、当該基準値に対応する物理センシングデータの生データまたはその加工済データとの比較により、周辺装置の動作状況を判定することができる。
【００１１】
第１の側面に係るデータ生成装置において、前記判定基準は、当該判定基準に対応付けられる第１の仮想センシングデータの示す状況の下で生成された学習用物理センシングデータから、周辺装置の動作状況を判定する機械学習を行うことで作成された学習済みモデルを含んでもよい。
【００１２】
これにより、学習済みモデルを設定したニューラルネットワークに、入力データとしての物理センシングデータの生データまたはその加工済データを与えることで、周辺装置の動作状況を判定することができる。
【００１３】
第１の側面に係るデータ生成装置において、前記状況項目は、前記物理センシングデータを生成する物理センサの周囲での照明の動作状況の情報を扱う第１の項目、前記物理センサの周囲での換気扇の動作状況の情報を扱う第２の項目、前記物理センサの周囲での冷蔵庫の動作状況の情報を扱う第３の項目、および前記物理センサの周囲での電子レンジの動作状況の情報を扱う第４の項目のうち少なくとも１つを含んでもよい。このデータ生成装置（以降、本開示の第２の側面に係るデータ生成装置と呼ぶ）によれば、上記第１乃至第４の項目についての判定が可能となる。
【００１４】
第２の側面に係るデータ生成装置において、前記状況項目は、前記第１の項目を含み、前記物理センシングデータは、照度データおよび音圧データのうちの少なくとも１つを含み、前記判定部は、前記照度データおよび前記音圧データそれぞれの生データおよび当該生データの加工済データのうちの少なくとも１つに対して前記選択された判定基準を適用し、前記第１の項目について判定を行ってもよい。これにより、例えば、スマートタップを必要とせず上記第１の項目についての判定を実現することができる。
【００１５】
第２の側面に係るデータ生成装置において、前記状況項目は、前記第２の項目を含み、前記物理センシングデータは、気圧データおよび音圧データのうちの少なくとも１つを含み、前記判定部は、前記気圧データおよび前記音圧データそれぞれの生データおよび当該生データの加工済データのうちの少なくとも１つに対して前記選択された判定基準を適用し、前記第２の項目について判定を行ってもよい。これにより、例えば、スマートタップを必要とせず上記第２の項目についての判定を実現することができる。
【００１６】
第２の側面に係るデータ生成装置において、前記状況項目は、前記第３の項目を含み、前記物理センシングデータは、音圧データおよび温度データのうちの少なくとも１つを含み、前記判定部は、前記音圧データおよび前記温度データそれぞれの生データおよび当該生データの加工済データのうちの少なくとも１つに対して前記選択された判定基準を適用し、前記第３の項目について判定を行ってもよい。これにより、例えば、スマートタップを必要とせず上記第３の項目についての判定を実現することができる。
【００１７】
第２の側面に係るデータ生成装置において、前記状況項目は、前記第４の項目を含み、前記物理センシングデータは、音圧データ、温度データおよび湿度データのうちの少なくとも１つを含み、前記判定部は、前記音圧データ、前記温度データおよび前記湿度データそれぞれの生データおよび当該生データの加工済データのうちの少なくとも１つに対して前記選択された判定基準を適用し、前記第４の項目について判定を行ってもよい。これにより、例えば、スマートタップを必要とせず上記第４の項目についての判定を実現することができる。
【００１８】
本開示の第３の側面に係るセンサ装置は、第１の側面または第２の側面に係るデータ生成装置と、前記物理センサとを具備する。これにより、物理センシングデータに加えて、周辺装置の動作状況についての判定結果を示す仮想センシングデータを生成するインテリジェントなセンサ装置を提供することができる。
【００１９】
本開示の第４の側面に係るデータ生成方法は、コンピュータが、物理センサがセンシング対象を観測することよって得られた物理センシングデータを取得することと、前記物理センサの周囲の状況についての判定結果を表す第１の仮想センシングデータを取得することと、判定対象となる状況項目に対して定められた複数の判定基準を取得することと、取得された前記複数の判定基準から前記第１の仮想センシングデータに対応する１つの判定基準を選択することと、前記状況項目のそれぞれについて、選択された前記判定基準を用いて、取得された前記物理センシングデータに基づいて前記物理センサの周囲の周辺装置の動作状況を判定し、当該周辺装置の動作状況についての判定結果を表す第２の仮想センシングデータを生成することとを具備する。
【００２０】
このデータ生成方法によれば、第１の仮想センシングデータの示す状況によるノイズ等の影響が考慮された判定基準を用いることができるので、物理センサの周囲の周辺装置の動作状況を正確に判定することが可能となる。
【００２１】
本開示の第５の側面に係るデータ生成プログラムは、コンピュータに、物理センサがセンシング対象を観測することよって得られた物理センシングデータを取得することと、前記物理センサの周囲の状況についての判定結果を表す第１の仮想センシングデータを取得することと、判定対象となる状況項目に対して定められた複数の判定基準を取得することと、取得された前記複数の判定基準から前記第１の仮想センシングデータに対応する１つの判定基準を選択することと、前記状況項目のそれぞれについて、選択された前記判定基準を用いて、取得された前記物理センシングデータに基づいて前記物理センサの周囲の周辺装置の動作状況を判定し、当該周辺装置の動作状況についての判定結果を表す第２の仮想センシングデータを生成することとを実行させるためのプログラムである。
【００２２】
このデータ生成プログラムによれば、第１の仮想センシングデータの示す状況によるノイズ等の影響が考慮された判定基準を用いることができるので、物理センサの周囲の周辺装置の動作状況を正確に判定することが可能となる。
【発明の効果】
【００２３】
本開示によれば、物理センサの周囲の周辺装置の動作状況の情報を記述する仮想センシングデータを生成する技術を提供することができる。
【図面の簡単な説明】
【００２４】
【図１】実施形態に係るデータ生成装置の適用例を示すブロック図。
【図２】実施形態に係るデータ生成装置のハードウェア構成を例示するブロック図。
【図３】実施形態に係るデータ生成装置の機能構成を例示するブロック図。
【図４】実施形態に係るデータ生成装置を含むデータ流通システムを例示する図。
【図５】図３の第１の仮想センシングデータ生成部を例示するブロック図。
【図６】仮想センシングデータの状況項目と、当該状況項目について判定を行うために使用される物理センシングデータを例示する図。
【図７】状況項目「コンロ」について判定を行うために使用されるデータチャートを例示する図。
【図８】状況項目「コンロ」について判定を行うために使用される判定基準を例示する図。
【図９】図７のデータチャートと図８の判定基準との比較結果を示す図。
【図１０】状況項目「照明」について判定を行うために使用される物理センシングデータの生データおよびその加工済データを例示するグラフ。
【図１１】状況項目「照明」について判定を行うために使用されるデータチャートを例示する図。
【図１２】状況項目「照明」について判定を行うために使用される判定基準を例示する図。
【図１３】図１１のデータチャートと図１２の判定基準との比較結果を示す図。
【図１４】状況項目「換気扇」について判定を行うために使用される物理センシングデータの生データおよびその加工済データを例示するグラフ。
【図１５】状況項目「換気扇」について判定を行うために使用されるデータチャートを例示する図。
【図１６】状況項目「換気扇」について判定を行うために使用される判定基準を例示する図。
【図１７】図１５のデータチャートと図１６の判定基準との比較結果を示す図。
【図１８】状況項目「冷蔵庫」について判定を行うために使用される物理センシングデータの生データおよびその加工済データを例示するグラフ。
【図１９】状況項目「冷蔵庫」について判定を行うために使用されるデータチャートを例示する図。
【図２０】状況項目「冷蔵庫」について判定を行うために使用される判定基準を例示する図。
【図２１】図１９のデータチャートと図２０の判定基準との比較結果を示す図。
【図２２】状況項目「電子レンジ」について判定を行うために使用される物理センシングデータを例示するグラフ。
【図２３】図３の第２の仮想センシングデータ生成部を例示するブロック図。
【図２４】第２の仮想センシングデータの状況項目と、第１の仮想センシングデータにおける対応項目と当該対応項目を補うために用いられる物理センシングデータとを例示する図。
【図２５】図５の第１の仮想センシングデータ生成部の動作を例示するフローチャート。
【図２６】図２３の第２の仮想センシングデータ生成部の動作を例示するフローチャート。
【図２７】図３のデータ生成装置を含むセンサ装置を例示するブロック図。
【図２８】図３のデータ生成装置を含む通信装置を例示するブロック図。
【図２９】図３のデータ生成装置を含むサーバを例示するブロック図。
【発明を実施するための形態】
【００２５】
以下、本開示の一側面に係る実施の形態（以下、「本実施形態」とも表記する）を、図面に基づいて説明する。
【００２６】
なお、以降、説明済みの要素と同一または類似の要素には同一または類似の符号を付し、重複する説明については基本的に省略する。例えば、複数の同一または類似の要素が存在する場合に、各要素を区別せずに説明するために共通の符号を用いることがあるし、各要素を区別して説明するために当該共通の符号に加えて枝番号を用いることもある。
【００２７】
§１  適用例  
まず、図１を用いて、本実施形態の一適用例について説明する。図１は、本実施形態に係るデータ生成装置の適用例を模式的に示す。このデータ生成装置１００は、判定対象として予め定められた複数の状況項目のそれぞれについて、物理センシングデータに基づいて物理センサの周囲の周辺装置の動作状況の判定を行い、判定結果に応じた値を持つ仮想センシングデータ（以降、便宜的に第２の仮想センシングデータとも称する）を生成する。ここで、周辺装置とは、物理センサの周囲に設置された装置全般を意味し得るのであって、物理センサおよび／または仮想センサとの物理的な接続および機能的な連携のいずれも必要とされない。
【００２８】
以降の説明において、物理センサの周囲の状況とは、仮想センサのセンシング対象、例えば物理センサの周囲の空間における人若しくはその他の生物または無生物など、の状態を含み得る。また、物理センサの周囲とは、仮想センサの入力データのベースとして直接的または間接的に用いられる物理センシングデータを生成する物理センサの動作条件（例えば、精度、分解能、ダイナミックレンジなど）、当該物理センサのセンシング対象（例えば、光、音、温度など）およびその周囲の環境（例えば、空気中、水中、真空中など）の特性などに基づいて定められ得る。
【００２９】
状況項目は、例えば、状況を細分化して記述するための項目であり得る。具体的には、状況項目は、物理センサの周囲に人が存在するか否かの情報を扱う「人在」、物理センサの周囲でのコンロ、空調、電子レンジおよびＴＶのそれぞれの動作状況の情報を扱う「コンロ」、「空調」、「電子レンジ」および「ＴＶ」、物理センサの周囲で人が調理しているか否かの情報を扱う「調理」などを含んでいてもよい。ここで、状況項目は、少なくとも周辺装置の動作状況に属する項目（例えば上記「コンロ」、「空調」、「電子レンジ」および「ＴＶ」）を含むこととする。周辺装置の動作状況に属する項目の具体例は後述する。
【００３０】
このデータ生成装置１００は、物理センシングデータ取得部１０１と、仮想センシングデータ取得部１０２と、判定基準取得部１０３と、判定基準選択部１１１と、状況判定部１１２とを含む。
【００３１】
物理センシングデータ取得部１０１は、物理センシングデータを取得する。物理センシングデータは、例えば、照度データ、音圧データ、加速度データ、ガスデータ、気圧データ、温度データ、湿度データなどを含み得る。物理センシングデータ取得部１０１は、データ生成装置１００がセンサ装置に内蔵されている場合には、当該センサ装置内のセンサから物理センシングデータを取得してもよい。また、物理センシングデータ取得部１０１は、外部装置に内蔵された物理センサ部によって生成された物理センシングデータを受信してもよい。
【００３２】
仮想センシングデータ取得部１０２は、状況についての一次的な判定結果を表す第１の仮想センシングデータを取得する。第１の仮想センシングデータは、例えば上位システムなどの外部装置によって生成されたものであってよいし、データ生成装置１００において生成されたものであってもよい。
【００３３】
判定基準取得部１０３は、状況項目に対して予め定められた判定基準を取得する。判定基準は、状況の二次的な判定結果を表す第２の仮想センシングデータを生成するために適用される。ここで、第２の仮想センシングデータの示す状況は、少なくとも、周辺装置の動作状況を含む。なお、状況項目に対して複数の判定基準が定められてもよい。
【００３４】
ここで、第１の仮想センシングデータが一次的な判定結果を示し、第２の仮想センシングデータが二次的な判定結果を示すと述べたが、「一次的」および「二次的」なる修飾は、状況の判定が行われる順序を述べているに過ぎず、両者の間の優劣を含む何らの関係も定義することを意図していない。
【００３５】
所与の状況項目に対して複数の判定基準が定められている場合には、判定基準選択部１１１は、この状況項目に対して１つの判定基準を選択する。具体的には、判定基準選択部１１１は、第１の仮想センシングデータに対応する判定基準を選択し得る。
【００３６】
仮に、状況項目「コンロ」を判定するための判定基準として、状況項目「人在」が真（物理センサの周囲に人が存在する）である場合に用いられる判定基準１、状況項目「空調」が真（物理センサの周囲にある空調がＯＮである）である場合に用いられる判定基準２、状況項目「電子レンジ」が真（物理センサの周囲にある電子レンジがＯＮである）である場合に用いられる判定基準３、および、状況項目「ＴＶ」が真（物理センサの周囲にあるＴＶがＯＮである）である場合に用いられる判定基準４を含むこととする。ここで、判定基準選択部１１１は、第１の仮想センシングデータが物理センサの周囲に人が存在することを示す場合には、判定基準１を選択してもよい。
【００３７】
なお、第１の仮想センシングデータに含まれる状況項目は、第２の仮想センシングデータに含まれる状況項目と一致していなくてもよい。両者が一致しない場合には、データ生成装置１００は、第１の仮想センシングデータの状況項目の値を第２の仮想センシングデータの対応項目の値に変換するためのデータ変換部を備えてもよい。例えば、第１の仮想センシングデータが物理センサの周囲に存在する人数の情報を扱う状況項目「人数」の値を含む場合に、このデータ変換部は「人数」の値を、上記状況項目「人在」の値へ変換してもよい。
【００３８】
判定基準は、状況項目についての判定のために参照されるべき物理センシングデータの生データとその加工済データとのうち少なくとも１つに対する基準値を含んでいてもよい。例えば、基準値は、照度データの生データに対して２００［ｌｘ］、３０秒間に音圧が５０［ｄＢ］を超える時間割合に対して５０［％］、などであってよい。基準値は、例えば、当該判定基準が対象とする状況項目に該当する状況の下で生成される物理センシングデータの生データまたはその加工済データとそうでない状況の下で生成される物理センシングデータの生データまたはその加工済データとを分析することで設計可能である。
【００３９】
この場合に、状況判定部１１２は、判定基準を適用するために必要なデータ、すなわち、基準値が定められた物理センシングデータの生データまたはその加工済データを準備する。物理センシングデータの生データの加工済データは、物理センシングデータに含まれていてもよいし、状況判定部１１２またはデータ生成装置１００に含まれる他の構成要素が計算してもよいし、外部装置が計算してもよい。状況判定部１１２は、このようにして準備されたデータを基準値と比較し、比較結果に応じて第２の仮想センシングデータにおける状況項目の値を設定する。
【００４０】
或いは、判定基準は、状況項目についての判定のために用いられる学習済みモデルを含んでもよい。この学習済みモデルは、状況を学習用物理センシングデータから判定する機械学習を行うことで作成されてよい。例えば、上記判定基準２としての学習済みモデルは、物理センサの周囲で空調がＯＮであり、かつ、物理センサの周囲でコンロがＯＮである時に生成された各学習用物理センシングデータの生データおよび／またはその加工済データを、正解ラベル付きの学習データとして用いて教師付き学習を行うことで作成可能である。また、物理センサの周囲で空調がＯＮであり、かつ、物理センサの周囲でコンロがＯＦＦである時に生成された各学習用物理センシングデータの生データおよび／またはその加工済データを、不正解ラベル付きの学習データとして用いてもよい。
【００４１】
この場合に、状況判定部１１２は、判定基準を適用するために必要なデータ、すなわち、判定基準としての学習済みモデルが設定されたニューラルネットワークへ入力するための物理センシングデータの生データまたはその加工済データを準備する。状況判定部１１２は、このようにして準備されたデータを、判定基準としての学習済みモデルが設定されたニューラルネットワークに与え、その出力値に基づいて状況項目の値を設定する。なお、学習済みモデルは、複数の状況項目について同時に判定を行う能力を獲得するための機械学習を通じて作成されていてもよい。この場合には、これら複数の状況項目間で共通の判定基準が定められることになる。
【００４２】
以上説明したように、適用例に係るデータ生成装置１００は、状況の一次的な判定結果を表す第１の仮想センシングデータに基づいて、周辺装置の動作状況についての判定を行うために用いる判定基準を選択する。故に、このデータ生成装置１００によれば、第１の仮想センシングデータの示す状況によるノイズ等の影響が考慮された判定基準を用いることができるので、物理センサの周囲の周辺装置の動作状況を正確に判定することが可能となる。
【００４３】
§２  構成例  
［ハードウェア構成］  
次に、図２を用いて、本実施形態に係るデータ生成装置２００のハードウェア構成の一例について説明する。図２は、本実施形態に係るデータ生成装置２００のハードウェア構成の一例を模式的に例示する。
【００４４】
図２に例示するように、本実施形態に係るデータ生成装置２００は、制御部２１１と、記憶部２１２と、通信インタフェース２１３と、入力装置２１４と、出力装置２１５と、外部インタフェース２１６と、ドライブ２１７とが電気的に接続されたコンピュータであってよい。なお、図２では、通信インタフェース及び外部インタフェースをそれぞれ、「通信Ｉ／Ｆ」及び「外部Ｉ／Ｆ」と記載している。
【００４５】
制御部２１１は、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）などを含む。ＣＰＵは、記憶部２１２に格納されたプログラムをＲＡＭに展開する。そして、ＣＰＵがこのプログラムを解釈および実行することで、制御部２１１は、様々な情報処理、例えば、機能構成の項目において説明される構成要素の処理または制御を実行可能となる。
【００４６】
記憶部２１２は、いわゆる補助記憶装置であり、例えば、内蔵または外付けの、ハードディスクドライブ（ＨＤＤ：Ｈａｒｄ  Ｄｉｓｋ  Ｄｒｉｖｅ）、ソリッドステートドライブ（ＳＳＤ：Ｓｏｌｉｄ  Ｓｔａｔｅ  Ｄｒｉｖｅ）、若しくはフラッシュメモリなどの半導体メモリであり得る。記憶部２１２は、制御部２１１で実行されるプログラム（例えば、データ生成処理を制御部２１１に実行させるためのプログラム）、制御部２１１によって使用されるデータ（例えば、各種物理センシングデータ、各種仮想センシングデータ、判定基準）などを記憶する。
【００４７】
通信インタフェース２１３は、例えば、ＢＬＥ（Ｂｌｕｅｔｏｏｔｈ（登録商標）  Ｌｏｗ  Ｅｎｅｒｇｙ）、移動通信（３Ｇ、４Ｇなど）およびＷＬＡＮ（Ｗｉｒｅｌｅｓｓ  Ｌｏｃａｌ  Ａｒｅａ  Ｎｅｔｗｏｒｋ）などのための各種無線通信モジュールであって、ネットワークを介して無線通信を行うためのインタフェースであってよい。また、通信インタフェース２１３は、無線通信モジュールに加えて、または、無線通信モジュールに代えて、有線ＬＡＮモジュールなどの有線通信モジュールをさらに備えていてもよい。
【００４８】
入力装置２１４は、例えばタッチスクリーン、キーボード、マウスなどのユーザ入力を受け付けるための装置を含んでもよい。また、入力装置２１４は、所定の物理量を測定し、物理センシングデータを生成および入力するセンサを含んでもよい。出力装置２１５は、例えば、ディスプレイ、スピーカなどの出力を行うための装置である。
【００４９】
外部インタフェース２１６は、ＵＳＢ（Ｕｎｉｖｅｒｓａｌ  Ｓｅｒｉａｌ  Ｂｕｓ）ポート、メモリカードスロットなどであり、外部装置と接続するためのインタフェースである。
【００５０】
ドライブ２１７は、例えば、ＣＤ（Ｃｏｍｐａｃｔ  Ｄｉｓｃ）ドライブ、ＤＶＤ（Ｄｉｇｉｔａｌ  Ｖｅｒｓａｔｉｌｅ  Ｄｉｓｃ）ドライブ、ＢＤ（Ｂｌｕ−ｒａｙ（登録商標）  Ｄｉｓｃ）ドライブなどである。ドライブ２１７は、記憶媒体２１８に記憶されたプログラムおよび／またはデータを読み込み、制御部２１１に渡す。なお、前述の記憶部２１２に記憶され得ると説明したプログラムおよびデータの一部または全部がドライブ２１７によって、記憶媒体２１８から読み込まれてもよい。
【００５１】
記憶媒体２１８は、コンピュータを含む機械が読み取り可能な形式で、プログラムおよび／またはデータを、電気的、磁気的、光学的、機械的または化学的作用によって蓄積する媒体である。記憶媒体２１８は、例えば、ＣＤ、ＤＶＤ、ＢＤなどの着脱可能なディスク媒体であるが、これに限られず、フラッシュメモリまたはその他の半導体メモリであり得る。
【００５２】
なお、データ生成装置２００の具体的なハードウェア構成に関して、実施形態に応じて、適宜、構成要素の省略、置換及び追加が可能である。例えば、制御部２１１は、複数のプロセッサを含んでもよい。データ生成装置２００は、提供されるサービス専用に設計された情報処理装置であってもよいし、汎用の情報処理装置、例えば、スマートフォン、タブレットＰＣ（Ｐｅｒｓｏｎａｌ  Ｃｏｍｐｕｔｅｒ）、ラップトップＰＣ、デスクトップＰＣなどであってもよい。また、データ生成装置２００は、複数台の情報処理装置などで構成されてもよい。
【００５３】
［機能構成］  
次に、図３を用いて、本実施形態に係るデータ生成装置２００の機能構成の一例を説明する。図３は、データ生成装置２００の機能構成の一例を模式的に示す。
【００５４】
図３に示されるとおり、データ生成装置２００は、物理センシングデータ取得部３０１と、仮想センシングデータ取得部３０２と、判定基準取得部３０３と、第１の仮想センシングデータ生成部３１０と、第２の仮想センシングデータ生成部３２０と、データ出力部３３０とを含む。
【００５５】
このデータ生成装置２００は、仮想センシングデータ１１および仮想センシングデータ１２（前述の第２の仮想センシングデータに相当する）を生成し、これらを出力する。
【００５６】
なお、データ生成装置２００は、仮想センシングデータ１１および仮想センシングデータ１２のうち一部を生成しなくてもよい。仮想センシングデータ１１を生成しない場合には、第１の仮想センシングデータ生成部３１０は省略可能である。仮想センシングデータ１２を生成しない場合には、第２の仮想センシングデータ生成部３２０は省略可能である。仮想センシングデータ１１および仮想センシングデータ１２は、例えばマーケティング活動など様々な事業領域で活用することができる。
【００５７】
仮想センシングデータ１１および仮想センシングデータ１２は、データ生成装置２００から直接的に利用側へ提供されてもよいし、以下に説明するデータ流通システムを通して利用側へ提供されてもよい。いずれの場合にも、データ生成装置２００は、（物理）センサ装置、サーバ、アプリケーション装置などに組み込まれてもよいし、これらとは独立した情報処理装置として構成されてもよい。
【００５８】
前述のように、このデータ生成装置２００は、データ流通市場を形成する種々の装置のいずれかに組み込まれてもよい。すなわち、データ生成装置２００は、物理センシングデータを生成するセンサ装置に組み込まれてもよいし、物理センシングデータをプラットフォームサーバ、マッチングサーバまたは利用側のアプリケーション装置などへ中継する通信装置（例えば、スマートフォン、各種ＰＣなど）に組み込まれてもよいし、プラットフォームサーバ、マッチングサーバまたはアプリケーション装置に組み込まれてもよい。この場合に、データ生成装置２００は、当該データ生成装置２００が組み込まれた装置のハードウェアを使用できる。或いは、データ生成装置２００は、これらの装置とは独立した情報処理装置として構成されてもよい。
【００５９】
図４に、データ生成装置２００が含まれるデータ流通システムの一例を概略的に示す。データ流通システムは、センサ装置４００−１，・・・，４００−５と、通信装置４１０−１，・・・，４１０−３と、サーバ４２０と、アプリケーション装置４３０−１，・・・，４３０−３とを含む。なお、図４に例示される各装置の数は例示に過ぎない。よって、各装置の符号に付された枝番号は特に区別せずに説明を続ける。
【００６０】
センサ装置４００は、物理量を測定するセンサと、当該センサの測定値をディジタル化した物理センシングデータを送信する通信Ｉ／Ｆと、センサおよび通信Ｉ／Ｆを制御する制御部とを含む。センサ装置４００は、例えばＷＢＡＮ（Ｗｉｒｅｌｅｓｓ  Ｂｏｄｙ  Ａｒｅａ  Ｎｅｔｗｏｒｋ）、ＷＰＡＮ（Ｗｉｒｅｌｅｓｓ  Ｐｅｒｓｏｎａｌ  Ａｒｅａ  Ｎｅｔｗｏｒｋ）などの通信技術を用いて通信装置４１０と接続する。センサ装置４００は、物理センシングデータ（および、もしあれば仮想センシングデータ）を通信装置４１０へ送信する。
【００６１】
通信装置４１０は、例えばスマートフォンまたは各種ＰＣであってよい。通信装置４１０は、データの送受信を行う通信Ｉ／Ｆと、当該通信Ｉ／Ｆを制御する制御部とを含む。通信装置４１０は、センサ装置４００から物理センシングデータを受信する。そして、通信装置４１０は、ＷＬＡＮ、ＷＭＡＮ（Ｗｉｒｅｌｅｓｓ  Ｍｅｔｒｏｐｏｌｉｔａｎ  Ａｒｅａ  Ｎｅｔｗｏｒｋ）、ＷＷＡＮ（Ｗｉｒｅｌｅｓｓ  Ｗｉｄｅ  Ａｒｅａ  Ｎｅｔｗｏｒｋ）などの通信技術を用いて、ゲートウェイまたは基地局経由でサーバ４２０へ物理センシングデータ（および、もしあれば仮想センシングデータ）を送信する。また、通信装置４１０は、センシングデータの売買マッチングを行うための提供側データカタログ（ＤＣ）をサーバ４２０へ送信してもよい。
【００６２】
提供側データカタログは、例えば、データカタログの番号、センシングデータの提供者、センシングデータの名称、センシングデータの測定日時・測定場所、観測対象・特性、イベントデータ仕様、センシングデータの提供期間、取引条件、データ売買条件などの種々の項目を含むことができる。
【００６３】
アプリケーション装置４３０は、例えばスマートフォン、各種ＰＣまたはサーバであってよい。アプリケーション装置４３０は、データの送受信を行う通信Ｉ／Ｆと、当該通信Ｉ／Ｆを制御する制御部とを含む。アプリケーション装置４３０は、センシングデータの売買マッチングを行うための利用側データカタログ（ＤＣ）をサーバ４２０へ送信してもよい。
【００６４】
ここで、利用側データカタログは、例えば、データカタログの識別情報、センシングデータの利用者、センシングデータの名称、センシングデータの測定日時・測定場所、観測対象・特性、イベントデータ仕様、センシングデータの利用期間、取引条件、データ売買条件などの種々の項目を含むことができる。
【００６５】
アプリケーション装置４３０は、売買マッチングを通じて購入した物理センシングデータ（および、もしあれば仮想センシングデータ）をサーバ４２０から受信する。そして、アプリケーション装置４３０は、個々の利活用の目的に応じて物理センシングデータ（および、もしあれば仮想センシングデータ）を処理する。
【００６６】
サーバ４２０は、データの送受信を行う通信Ｉ／Ｆと、データを保存する記憶部と、当該記憶部および通信Ｉ／Ｆを制御したり後述される売買マッチングを行ったりする制御部とを含む。サーバ４２０は、通信装置４１０から物理センシングデータを受信する。そして、サーバ４２０は、この物理センシングデータ（および、もしあれば仮想センシングデータ）を蓄積する。
【００６７】
また、サーバ４２０は、提供側データカタログおよび利用側データカタログをそれぞれ取得して保存し、両者を比較して売買マッチングを行う。提供側データカタログおよび利用側データカタログは、通信装置４１０、アプリケーション装置４３０または他の通信装置から受信することで取得されてもよいし、例えば直接入力などの他の手段により取得されてもよい。サーバ４２０は、利用側データカタログとマッチする提供側データカタログを発見すると、当該提供側データカタログに対応する物理センシングデータ（および、もしあれば仮想センシングデータ）を利用側に提供する。すなわち、サーバ４２０は、物理センシングデータ（および、もしあれば仮想センシングデータ）をアプリケーション装置４３０へ送信する。
【００６８】
なお、データ流通システムの形態は、図４の例に限定されない。例えば、センサ装置４００は、例えばＷＬＡＮ、ＷＭＡＮ、ＷＷＡＮなどの通信技術を用いて、通信装置４１０を介することなく、ゲートウェイまたは基地局経由でサーバ４２０またはアプリケーション装置４３０へ直接的に物理センシングデータおよび／または仮想センシングデータを送信してもよい。
【００６９】
また、サーバ４２０は、売買マッチングの成立後即座に物理センシングデータおよび／または仮想センシングデータをアプリケーション装置４３０へ送信せず、一旦は提供側または利用側に売買の承認を求めてもよい。また、サーバ４２０は、物理センシングデータおよび／または仮想センシングデータをアプリケーション装置４３０へ送信せずに、データフロー制御を行ってもよい。例えば、サーバ４２０は、物理センシングデータおよび／または仮想センシングデータを購入したアプリケーション装置４３０へ当該物理センシングデータおよび／または仮想センシングデータを送信するようにセンサ装置４００または通信装置４１０に指図してもよい。或いは、サーバ４２０は、売買マッチングを行うサーバと物理センシングデータおよび／または仮想センシングデータを蓄積するサーバとに分割されてもよい。
【００７０】
さらに、サーバ４２０は、売買マッチングを直接的に行わずに、図示されないマッチングサーバに売買マッチングを委ねてもよい。このマッチングサーバは、複数のプラットフォームを横断した売買マッチングを行うことで、プラットフォームを区別しない流通市場を実現してもよいし、プラットフォームを介さずに提供される物理センシングデータおよび／または仮想センシングデータ（例えば、個人的に設置されたセンサ装置４００から収集されるデータ）を売買マッチングの対象に加えることで、データの出所を区別しない流通市場を実現してもよい。
【００７１】
以下、図３に例示されるデータ生成装置２００の個々の構成要素を説明する。  
物理センシングデータ取得部３０１は、物理センシングデータを取得し、第１の仮想センシングデータ生成部３１０および第２の仮想センシングデータ生成部３２０へ送る。物理センシングデータは、例えば、照度データ、音圧データ、加速度データ、ガスデータ、気圧データ、温度データ、湿度データなどを含み得る。物理センシングデータは、生データであってもよいし、生データの加工済データであってもよいし、これらの組み合わせであってもよい。
【００７２】
データ生成装置２００がセンサ装置４００に組み込まれている場合には、物理センシングデータ取得部３０１は当該センサ装置４００に含まれるセンサから物理センシングデータを取得してもよい。他方、データ生成装置２００がセンサ装置４００に組み込まれていない場合には、物理センシングデータ取得部３０１は当該センサ装置４００を送信元とする物理センシングデータを外部装置から受信することで、物理センシングデータを取得できる。なお、物理センシングデータの全てが同一のセンサ装置４００から取得される必要はなく、例えばある物理センシングデータと別の物理センシングデータとが異なるセンサ装置４００から取得されてもよい。
【００７３】
仮想センシングデータ取得部３０２は、状況についての一次的な判定結果を示す仮想センシングデータ１３（すなわち、第１の仮想センシングデータ）を取得し、第２の仮想センシングデータ生成部３２０へ送る。仮想センシングデータ１３は、例えば上位システム、センサ装置４００、通信装置４１０、サーバ４２０、アプリケーション装置４３０などの外部装置によって生成されたものであってよいし、第１の仮想センシングデータ生成部３１０によって生成された仮想センシングデータ１１であってもよい。
【００７４】
或いは、仮想センシングデータ取得部３０２は、第２の仮想センシングデータ生成部３２０によって生成された仮想センシングデータ１２を仮想センシングデータ１３として取得することもあり得る。例えば、第２の仮想センシングデータ生成部３２０が、所与の状況を繰り返し判定する場合には、生成した仮想センシングデータ１２を繰り返し利用することも想定される。具体的には、第２の仮想センシングデータ生成部３２０は、仮想センシングデータ１２を繰り返し利用して、単純または概略的な状況項目から複雑または詳細な状況項目へと段階的に状況を判定してもよい。
【００７５】
判定基準取得部３０３は、状況項目に対して予め定められた判定基準を取得する。判定基準は、仮想センシングデータ１１を生成するために適用されるもの（以降、第１の判定基準とも呼ぶ）と、仮想センシングデータ１２を生成するために適用されるもの（以降、第２の判定基準とも呼ぶ）とを含む。第１の判定基準および第２の判定基準それぞれに個別に判定基準取得部が設けられてもよい。第１の判定基準および第２の判定基準は、一部共通であってもよいし、完全に異なっていてもよい。判定基準取得部３０３は、第１の判定基準を第１の仮想センシングデータ生成部３１０へ送り、第２の判定基準を第２の仮想センシングデータ生成部３２０へ送る。
【００７６】
判定基準取得部３０３は、データ生成装置２００に内蔵された判定基準記憶部（図３には示されない）に保存された判定基準を読み出すことで判定基準を取得してもよいし、外部装置から送信された判定基準を受信することで判定基準を取得してもよい。
【００７７】
第１の仮想センシングデータ生成部３１０は、物理センシングデータ取得部３０１から物理センシングデータを受け取り、判定基準取得部３０３から判定基準（第１の判定基準）を受け取る。第１の仮想センシングデータ生成部３１０は、判定基準を用いて、物理センシングデータに基づいて状況を判定し、仮想センシングデータ１１を生成する。仮想センシングデータ１１は、例えば、状況についての判定結果を状況項目毎に示し得る。第１の仮想センシングデータ生成部３１０は、仮想センシングデータ１１をデータ出力部３３０へ送る。
【００７８】
仮想センシングデータ１１の具体的な生成法は後述されるが、例えば、ある状況項目について定められた判定基準が、物理センシングデータの生データまたはその加工済データに対する基準値を含む場合には、第１の仮想センシングデータ生成部３１０は、基準値に対応する物理センシングデータの生データまたはその加工済データを準備し、両者を比較することで当該状況項目についての判定を行ってもよい。或いは、判定基準が１または複数の状況項目について判定を行うための学習済みモデルである場合には、第１の仮想センシングデータ生成部３１０はこの学習済みモデルをニューラルネットワークに設定し、当該ニューラルネットワークの入力データとして定められた物理センシングデータの生データまたはその加工済データを準備し、準備したデータを当該ニューラルネットワークに与えて判定を行ってもよい。
【００７９】
第２の仮想センシングデータ生成部３２０は、物理センシングデータ取得部３０１から物理センシングデータを受け取り、仮想センシングデータ取得部３０２から仮想センシングデータ１３を受け取り、判定基準取得部３０３から判定基準（第２の判定基準）を受け取る。第２の仮想センシングデータ生成部３２０は、所与の状況項目に複数の判定基準が定められている場合には、当該複数の判定基準から仮想センシングデータ１３に対応する１つを選択する。そして、第２の仮想センシングデータ生成部３２０は、選択された判定基準を用いて、物理センシングデータに基づいて状況を判定し、仮想センシングデータ１２を生成する。仮想センシングデータ１２は、例えば、状況についての判定結果を状況項目毎に示し得る。第２の仮想センシングデータ生成部３２０は、仮想センシングデータ１２をデータ出力部３３０へ送る。
【００８０】
仮想センシングデータ１２の具体的な生成法は後述されるが、例えば、ある状況項目について選択された判定基準が、物理センシングデータまたはその加工済データに対する基準値を含む場合には、第２の仮想センシングデータ生成部３２０は、基準値に対応する物理センシングデータまたはその加工済データを準備し、両者を比較することで当該状況項目についての判定を行ってもよい。或いは、判定基準が１または複数の状況項目について判定を行うための学習済みモデルである場合には、第２の仮想センシングデータ生成部３２０はこの学習済みモデルをニューラルネットワークに設定し、当該ニューラルネットワークの入力データとして定められた物理センシングデータの生データまたはその加工済データを準備し、準備したデータを当該ニューラルネットワークに与えて判定を行ってもよい。
【００８１】
データ出力部３３０は、第１の仮想センシングデータ生成部３１０から仮想センシングデータ１１を受け取り、第２の仮想センシングデータ生成部３２０から仮想センシングデータ１２を受け取る。データ出力部３３０は、受け取った仮想センシングデータをデータ生成装置２００の外へ出力する。また、データ出力部３３０は、仮想センシングデータを成形したり、仮想センシングデータの出力タイミングを制御したりしてもよい。
【００８２】
以下、図５乃至図２２を用いて第１の仮想センシングデータ生成部３１０をさらに説明する。  
図５に例示されるように、第１の仮想センシングデータ生成部３１０は、状況判定部３１１を含む。状況判定部３１１は、物理センシングデータ取得部３０１から物理センシングデータを受け取り、判定基準取得部３０３から判定基準（第１の判定基準）を受け取る。状況判定部３１１は、判定基準を用いて、物理センシングデータに基づいて状況を判定し、仮想センシングデータ１１を生成する。状況判定部３１１は、仮想センシングデータ１１をデータ出力部３３０へ送る。
【００８３】
仮想センシングデータ１１に含まれる状況項目は、例えば図６に示されるように、「周辺装置の動作状況」に属し得る。なお、図６に示した状況項目は一例に過ぎず、これとは異なる状況項目が用いられてもよい。また、仮想センシングデータ１１は、図６に例示した「周辺装置の動作状況」に属しない状況項目を含み得るし、図６に挙げられた状況項目が「周辺装置の動作状況」に属しないと解釈する余地もある。図６は、「周辺装置の動作状況」に属する状況項目と、当該状況項目について判定を行うために使用される物理センシングデータとを例示する。
【００８４】
図６において、物理センシングデータの欄に列挙される物理センシングデータは、生データに限られずその加工済データを含み得る。ここで、加工済データの例として、生データの統計量のほか、生データにフーリエ変換を施して生成された周波数スペクトル、温度データおよび湿度データの生データから算出された熱中症危険度、加速度の生データから算出された震度などがあり得る。同様に、物理センシングデータの欄に列挙される物理センシングデータは、例示に過ぎない。
【００８５】
例えば、状況判定部３１１は、状況項目「コンロ」についての判定基準として図８に例示される判定チャートを取得したとする。ここで、判定チャートとは、例えば、判定に用いられる基準値の一覧表である。基準値は、例えば、判定基準が対象とする状況項目に該当する状況の下で生成される物理センシングデータの生データまたはその加工済データとそうでない状況の下で生成される物理センシングデータの生データまたはその加工済データとを分析することで設計可能である。
【００８６】
状況判定部３１１は、少なくとも図８において基準値の定められている（すなわち、状況項目「コンロ」についての判定に用いられる）物理センシングデータの生データまたはその加工済データを、図７に例示されるデータチャートとして準備してもよい。ここで、データチャートとは、例えば、判定に用いられる物理センシングデータの生データおよびその加工済データの一覧表である。なお、物理センシングデータが、生データの加工済データを含まない場合には、状況判定部３１１は、必要な加工済データを生成してもよい。
【００８７】
状況判定部３１１は、図７のデータチャートと図８の判定チャートとを比較し、図９に例示される比較結果を得る。図９では、データチャートの対応欄の値が判定チャートに定められた基準値以上である場合には「○」が、基準値を下回っている場合には「×」が、判定チャートに定められた基準値が存在しない場合には「−」がそれぞれ付されている。
【００８８】
状況判定部３１１は、例えば、「○」および「×」をそれぞれ「１（真）」または「０（偽）」として、若しくはその逆として換算し、判定基準の一部として定められた論理式または関係式に代入するなどして、状況項目の値を設定する。状況項目の値は２値、例えば「１（真）」または「０（偽）」として定められてもよいし、３以上の多値、例えば確率値、パーセンテージ、スコアなどとして定められてもよい。
【００８９】
なお、前述のように、判定基準は、学習済みモデルを含み得る。判定基準が学習済みモデルを含む場合には、状況判定部３１１は、当該学習済みモデルをニューラルネットワークに設定し、当該ニューラルネットワークの入力データとして定められた物理センシングデータの生データまたはその加工済データを準備し、準備したデータを当該ニューラルネットワークに与えて判定を行ってもよい。
【００９０】
この学習済みモデルは、状況を学習用物理センシングデータから判定する機械学習を行うことで作成されてよい。例えば、状況項目「コンロ」について判定を行うための学習済みモデルは、物理センサの周囲でコンロがＯＮである時に生成された各学習用物理センシングデータの生データおよび／またはその加工済データを、正解ラベル付きの学習データとして用いて教師付き学習を行うことで作成可能である。また、物理センサの周囲でコンロがＯＦＦである時に生成された各学習用物理センシングデータの生データおよび／またはその加工済データを、不正解ラベル付きの学習データとして用いてもよい。
【００９１】
以下、図１０乃至図２２を用いて、様々な状況項目についての判定の具体例を説明する。ここで説明される具体例は全て、基準値を用いた判定を行っているが、前述のように学習済みモデルを用いた判定を適宜行ってよい。
【００９２】
図１０は、状況項目「照明」について判定を行うために使用される物理センシングデータ「照度」および「音圧」それぞれの生データおよびその加工済データを示す。状況項目「照明」は、物理センサの周囲で照明の動作状況の情報を扱い得る。
【００９３】
物理センサの周囲で照明がＯＮ状態にあれば、その照明光により物理センシングデータ「照度」の生データが上昇する可能性がある。そこで、物理センシングデータ「照度」の生データについて、照明のＯＮ／ＯＦＦを区別するための値、例えば「２００［ｌｘ］」が基準値として設定されてもよい。
【００９４】
また、物理センサの周囲で照明がＯＦＦ状態からＯＮ状態に切り替えられれば、照度の急激な上昇が生じる可能性がある。そこで、状況判定部３１１は、物理センシングデータ「照度」の生データの変化（ここでは、例えば１秒間の最大変化）を判定に用いることもできる。物理センシングデータ「照度」の生データの変化について、例えば「５０［ｌｘ］」が基準値として設定されてもよい。
【００９５】
物理センサの周囲で照明がＯＦＦ状態からＯＮ状態に切り替えられる時にスイッチ操作音が生じれば、有意な音圧が検出できる可能性がある。そこで、状況判定部３１１は、物理センシングデータ「音圧」の生データの変化について「±１５［ｄＢ］」を超えたピークを所定の分析期間、例えば直近３０秒間に亘って探索し、当該３０秒間のうちの任意の１秒間の領域に入るピークの最大数を計算した加工済データ（以降、単に「変化数」とも呼ぶ）を準備してもよい。この音圧の変化数について、照明のスイッチ操作があった場合とそうでない場合とを区別するための値、例えば「１［回］」が基準値として設定されてもよい。ここでの１秒は、スイッチ操作音に伴うインパルス状の音圧の上下動を捉えるための時間領域の一例であって、変更可能である。
【００９６】
状況判定部３１１は、状況項目「照明」についての判定基準として図１２に例示される判定チャートを取得したとする。状況判定部３１１は、少なくとも図１２において基準値の定められている物理センシングデータの生データまたはその加工済データを、図１１に例示されるデータチャートとして準備する。
【００９７】
状況判定部３１１は、図１１のデータチャートと図１２の判定チャートとを比較し、図１３に例示される比較結果を得る。図１３では、データチャートの対応欄の値が判定チャートに定められた基準値以上である場合には「○」が、基準値を下回っている場合には「×」が、判定チャートに定められた基準値が存在しない場合には「−」がそれぞれ付されている。
【００９８】
この例では、照度の生データおよび変化、ならびに音圧の変化数のいずれも基準値以上である。故に、状況判定部３１１は、状況項目「照明」の値に、例えば、物理センサの周囲で照明がＯＮ状態にあること、或いは直近３０秒間に照明がＯＦＦ状態からＯＮ状態に切り替えられたこと、などを示す「１（真）」を設定し得る。
【００９９】
図１４は、状況項目「換気扇」について判定を行うために使用される物理センシングデータ「気圧」および「音圧」それぞれの生データおよびその加工済データを示す。状況項目「換気扇」は、物理センサの周囲で換気扇の動作状況の情報を扱い得る。
【０１００】
物理センサの周囲で換気扇がＯＮ状態にあれば、その換気扇の動作により物理センシングデータ「気圧」の生データが変化する可能性がある。例えば、給気型の換気扇が動作すれば、屋内への空気の流入が増えて物理センシングデータ「気圧」の生データが上昇する可能性がある。他方、排気型の換気扇が動作すれば、屋外への空気の流出が増えて物理センシングデータ「気圧」の生データが低下する可能性がある。そこで、状況判定部３１１は、物理センシングデータ「気圧」の生データの変化（ここでは例えば、５秒前の値との差）を判定に用いることもできる。物理センシングデータ「気圧」の生データの変化について、例えば「０．０２ｈＰａ」が基準値として設定されてもよい。
【０１０１】
物理センサの周囲で換気扇がＯＮ状態にあれば、その動作音により物理センシングデータ「音圧」の生データが上昇する可能性がある。そこで、状況判定部３１１は、物理センシングデータ「音圧」の生データの変化を判定に用いることもできる。物理センシングデータ「音圧」の生データの変化について、例えば「１０［ｄＢ］」が基準値として設定されてもよい。
【０１０２】
状況判定部３１１は、状況項目「換気扇」についての判定基準として図１６に例示される判定チャートを取得したとする。状況判定部３１１は、少なくとも図１６において基準値の定められている物理センシングデータの生データまたはその加工済データを、図１５に例示されるデータチャートとして準備する。
【０１０３】
状況判定部３１１は、図１５のデータチャートと図１６の判定チャートとを比較し、図１７に例示される比較結果を得る。図１７では、データチャートの対応欄の値が判定チャートに定められた基準値以上である場合には「○」が、基準値を下回っている場合には「×」が、判定チャートに定められた基準値が存在しない場合には「−」がそれぞれ付されている。
【０１０４】
この例では、気圧の変化および音圧の変化のいずれも基準値以上である。故に、状況判定部３１１は、状況項目「換気扇」の値に、例えば、物理センサの周囲で換気扇がＯＮ状態にあること、或いは直近３０秒間に換気扇がＯＦＦ状態からＯＮ状態に切り替えられたこと、などを示す「１（真）」を設定し得る。
【０１０５】
図１８は、状況項目「冷蔵庫」について判定を行うために使用される物理センシングデータ「音圧」の生データおよびその加工済データを示す。状況項目「冷蔵庫」は、物理センサの周囲で冷蔵庫の動作状況、例えば物理センサの周囲で例えば直近３０秒間に冷蔵庫のドア開閉があったか否か、の情報を扱い得る。
【０１０６】
物理センサの周囲で冷蔵庫のドア開閉があれば、冷蔵庫のドアを開けた時と閉めた時にそれぞれ有意な音圧が検出できる可能性がある。そこで、状況判定部３１１は、物理センシングデータ「音圧」の生データについて「５０［ｄＢ］」を超えたピークを例えば直近３０秒間に亘って探索し、当該３０秒間のうちの任意の１０秒間の領域に入るピークの最大数を計算した加工済データ（以降、単に「生値数」とも呼ぶ）を準備してもよい。この音圧の生値数について、冷蔵庫のドア開閉があった場合とそうでない場合とを区別するための値、例えば「２［回］」が基準値として設定されてもよい。ここで、領域の長さである１０秒間は、冷蔵庫のドアを開けてから閉めるまでの推定所要時間であり、適宜変更可能である。
【０１０７】
同様に、物理センシングデータ「音圧」の生データの変化を判定に用いることもできる。具体的には、状況判定部３１１は、物理センシングデータ「音圧」の生データの変化が、「＋１０ｄＢ」を上回り、かつ、それから１０秒以内に「−１０［ｄＢ］」を下回った回数をカウントした加工済データ（以降、単に「変化数」とも呼ぶ）を準備してもよい。この音圧の変化数について、冷蔵庫のドア開閉があった場合とそうでない場合とを区別するための値、例えば「２［回］」が基準値として設定されてもよい。
【０１０８】
状況判定部３１１は、状況項目「冷蔵庫」についての判定基準として図２０に例示される判定チャートを取得したとする。状況判定部３１１は、少なくとも図２０において基準値の定められている物理センシングデータの生データまたはその加工済データを、図１９に例示されるデータチャートとして準備する。
【０１０９】
このほか、例えば、物理センシングデータ「温度」に基づいて庫内の冷気が漏れることによる温度の低下を捉えることで、状況項目「冷蔵庫」についてより正確に判定できる可能性がある。
【０１１０】
状況判定部３１１は、図１９のデータチャートと図２０の判定チャートとを比較し、図２１に例示される比較結果を得る。図２１では、データチャートの対応欄の値が判定チャートに定められた基準値以上である場合には「○」が、基準値を下回っている場合には「×」が、判定チャートに定められた基準値が存在しない場合には「−」がそれぞれ付されている。
【０１１１】
この例では、音圧の生値数および変化数のいずれも基準値以上である。故に、状況判定部３１１は、状況項目「冷蔵庫」の値に、例えば物理センサの周囲で冷蔵庫のドア開閉があったことを示す「１（真）」を設定し得る。
【０１１２】
図２２は、状況項目「電子レンジ」について判定を行うために使用される物理センシングデータ「音圧」の生データを示す。状況項目「電子レンジ」は、物理センサの周囲で電子レンジの動作状況の情報を扱い得る。
【０１１３】
電子レンジの動作状況に起因する音圧の変化として、ドア開閉時に急激な音圧の変化があること（例えば、図２２の時間［０：００：０４］頃および［０：００：０７］頃）、動作中に例えばマグネトロンを騒音源とする音圧が持続的に生じること（図２２の時間［０：００：０９］頃および［０：００：２４］頃）、そして動作終了音による急激な音圧の変化があること（例えば、図２２の時間［０：００：２４］頃）などが挙げられる。例えばこれらの要素の一部または全部を考慮して、基準値を設計することができる。
【０１１４】
このほか、例えば、物理センシングデータ「温度」および「湿度」に基づいて、温められた食品等を取り出すときに庫内から蒸気が漏れることによる温度および湿度の上昇を捉えることで、状況項目「電子レンジ」についてより正確に判定できる可能性がある。
【０１１５】
以下、図２３および図２４を用いて第２の仮想センシングデータ生成部３２０をさらに説明する。  
図２３に例示されるように、第２の仮想センシングデータ生成部３２０は、判定基準選択部３２１と、状況判定部３２２とを含む。
【０１１６】
判定基準選択部３２１は、仮想センシングデータ取得部３０２から仮想センシングデータ１３を受け取り、判定基準取得部３０３から判定基準（第２の判定基準）を受け取る。判定基準選択部３２１は、所与の状況項目に複数の判定基準が定められている場合には、当該複数の判定基準から仮想センシングデータ１３に対応する１つを選択し、選択された判定基準を状況判定部３２２へ送る。
【０１１７】
状況判定部３２２は、物理センシングデータ取得部３０１から物理センシングデータを受け取り、判定基準選択部３２１から選択された判定基準を受け取る。状況判定部３２２は、選択された判定基準を用いて、物理センシングデータに基づいて状況を判定し、仮想センシングデータ１２を生成する。状況判定部３２２は、仮想センシングデータ１２をデータ出力部３３０へ送る。
【０１１８】
仮想センシングデータ１１と同様に、仮想センシングデータ１２に含まれる状況項目は、例えば図６に示されるように、「周辺装置の動作状況」に属し得る。なお、図６に示した状況項目は一例に過ぎず、これとは異なる状況項目が用いられてもよい。また、仮想センシングデータ１１は、図６に例示した「周辺装置の動作状況」に属しない状況項目を含み得るし、図６に挙げられた状況項目が「周辺装置の動作状況」に属しないと解釈する余地もある。
【０１１９】
なお、図６において、物理センシングデータの欄に列挙される物理センシングデータは、生データに限られずその加工済データを含み得る。同様に、物理センシングデータの欄に列挙される物理センシングデータは、例示に過ぎない。
【０１２０】
例えば、判定基準選択部３２１は、状況項目「コンロ」について、状況項目「人在」が真である場合に用いられる判定基準１、状況項目「空調」が真である場合に用いられる判定基準２、状況項目「電子レンジ」が真である場合に用いられる判定基準３、および、状況項目「ＴＶ」が真であることを示す場合に用いられる判定基準４をそれぞれ判定チャートとして取得したとする。ここで、判定チャートとは、例えば、判定に用いられる基準値の一覧表である。判定基準に含まれる基準値は、例えば、（１）当該判定基準が対応付けられる（仮想センシングデータ１３の示す）状況に合致し、かつ、当該判定基準が対象とする状況項目に該当する状況の下で生成される物理センシングデータの生データまたはその加工済データと、（２）当該判定基準が対応付けられる状況に合致するが、当該判定基準が対象とする状況項目には該当しない状況の下で生成される物理センシングデータの生データまたはその加工済データとを分析することで設計可能である。判定基準選択部３２１は、第１の仮想センシングデータが物理センサの周囲に人が存在することを示す場合には、判定基準１を選択してもよい。
【０１２１】
状況判定部３２２は、判定基準選択部３２１によって選択された判定チャートにおいて少なくとも基準値の定められている物理センシングデータの生データまたはその加工済データを、データチャートとして準備してもよい。ここで、データチャートとは、例えば、判定に用いられる物理センシングデータの生データおよびその加工済データの一覧表である。なお、物理センシングデータが、生データの加工済データを含まない場合には、状況判定部３２２は、必要な加工済データを生成してもよい。
【０１２２】
状況判定部３２２は、データチャートと判定チャートとを比較し、比較結果を得る。状況判定部３２２は、それぞれの基準値についての比較結果をそれぞれ「１（真）」または「０（偽）」として、若しくはその逆として換算し、判定基準の一部として定められた論理式または関係式に代入するなどして、状況項目の値を設定する。状況項目の値は２値、例えば「１（真）」または「０（偽）」として定められてもよいし、３以上の多値、例えば確率値、パーセンテージ、スコアなどとして定められてもよい。
【０１２３】
なお、前述のように、判定基準は、学習済みモデルを含み得る。判定基準が学習済みモデルを含む場合には、状況判定部３２２は、当該学習済みモデルをニューラルネットワークに設定し、当該ニューラルネットワークの入力データとして定められた物理センシングデータの生データまたはその加工済データを準備し、準備したデータを当該ニューラルネットワークに与えて判定を行ってもよい。
【０１２４】
この学習済みモデルは、状況を学習用物理センシングデータから判定する機械学習を行うことで作成されてよい。例えば、仮想センシングデータ１３における状況項目「ＴＶ」の値が真（物理センサの周囲にあるＴＶがＯＮである）である場合に状況項目「コンロ」について判定を行うための学習済みモデルは、物理センサの周囲でＴＶがＯＮであり、かつ、物理センサの周囲でコンロがＯＮ状態にある時に生成された各学習用物理センシングデータの生データおよび／またはその加工済データを、正解ラベル付きの学習データとして用いて教師付き学習を行うことで作成可能である。また、物理センサの周囲でＴＶがＯＮであり、かつ、物理センサの周囲でコンロがＯＦＦである時に生成された各学習用物理センシングデータの生データおよび／またはその加工済データを、不正解ラベル付きの学習データとして用いてもよい。
【０１２５】
なお、状況判定部３２２は、仮想センシングデータ１２に含まれる状況項目の一部または全部について判定基準を用いた判定を行わなくてもよい。具体的には、状況判定部３２２は、一部または全部について、仮想センシングデータ取得部３０２から取得した仮想センシングデータ１３に基づいて判定を行ってもよい。
【０１２６】
例えば、状況判定部３２２は、仮想センシングデータ１３の値をそのまま、または変換し、仮想センシングデータ１２に含まれる特定の状況項目の値として用いてもよい。また、状況判定部３２２は、仮想センシングデータ１２に含まれる状況項目についての判定を、仮想センシングデータ１３における対応項目を物理センシングデータに基づいて補うことで行ってもよい。
【０１２７】
図２４は、中項目「周辺装置の動作状況」に属する状況項目と、当該状況項目に対応する仮想センシングデータ１３の項目と当該項目を補うために用いられる物理センシングデータとを例示する。
【０１２８】
＜その他＞
データ生成装置２００の各機能に関しては後述する動作例で詳細に説明する。なお、本実施形態では、データ生成装置２００の各機能がいずれも汎用のＣＰＵによって実現される例について説明している。しかしながら、以上の機能の一部又は全部が、１または複数の専用のプロセッサにより実現されてもよい。また、データ生成装置２００の機能構成に関して、実施形態に応じて、適宜、機能の省略、置換及び追加が行われてもよい。
【０１２９】
§３  動作例  
次に、図２５および図２６を用いて、データ生成装置２００の動作例を説明する。なお、以下で説明する処理手順は一例に過ぎず、各処理は可能な限り変更されてよい。また、以下で説明する処理手順について、実施の形態に応じて、適宜、ステップの省略、置換、及び追加が可能である。
【０１３０】
図２５は、第１の仮想センシングデータ生成部３１０の動作の一例を示すフローチャートである。  
まず、物理センシングデータ取得部３０１が物理センシングデータを取得し、判定基準取得部３０３が判定基準（第１の判定基準）を取得する（ステップＳ５０１）。状況判定部３１１がこれら物理センシングデータおよび判定基準を受け取り、処理はステップＳ５０２へと進む。
【０１３１】
ステップＳ５０２において、状況判定部３１１は、仮想センシングデータ１１に含まれる状況項目（例えば図６に示された項目）のうち未選択の項目を選択する。なお、判定基準次第では、複数の状況項目について同時に判定を行うことができる。例えば、判定基準は、複数の状況項目について同時に判定を行う機械学習によって作成された学習済みモデルを含み得る。このような場合には、ステップＳ５０２において複数の項目が選択され得る。
【０１３２】
状況判定部３１１は、ステップＳ５０２において選択した状況項目（ここでは単に選択項目と呼ぶ）に対して定められた判定基準を適用するために必要な物理センシングデータの生データおよびその加工済データを準備する（ステップＳ５０３）。ここで、判定基準を適用するために必要な物理センシングデータは、例えば、判定基準に含まれる基準値が定められた物理センシングデータの生データまたはその加工済データであってもよいし、判定基準に含まれる学習済みモデルの設定されたニューラルネットワークの入力データとして定められた物理センシングデータの生データまたはその加工済データであってもよい。
【０１３３】
状況判定部３１１は、選択項目に対して定められた判定基準を、ステップＳ５０３において準備したデータに適用することで、状況が選択項目に該当するか否かを判定する（ステップＳ５０４）。判定基準をデータに適用することは、判定基準に含まれる基準値と対応するデータとを比較することであってもよいし、判定基準に含まれる学習済みモデルの設定されたニューラルネットワークにデータを与えることであってもよい。
【０１３４】
状況判定部３１１は、ステップＳ５０４の判定結果に応じて、仮想センシングデータ１１における選択項目の値を設定する（ステップＳ５０５）。ステップＳ５０５の終了時点で全ての状況項目についての処理が終了していれば図２５の動作は終了し、そうでなければ処理はステップＳ５０２へ戻る（ステップＳ５０６）。
【０１３５】
図２６は、第２の仮想センシングデータ生成部３２０の動作の一例を示すフローチャートである。  
まず、物理センシングデータ取得部３０１が物理センシングデータを取得し、仮想センシングデータ取得部３０２が仮想センシングデータ１３を取得し、判定基準取得部３０３が判定基準（第２の判定基準）を取得する（ステップＳ５１１）。判定基準選択部３２１がこれら仮想センシングデータ１３および判定基準を受け取り、状況判定部３２２がこの物理センシングデータを受け取り、処理はステップＳ５１２へと進む。
【０１３６】
ステップＳ５１２において、判定基準選択部３２１は、仮想センシングデータ１２に含まれる状況項目（例えば図６に示された項目）のうち未選択の項目を選択する。なお、判定基準次第では、複数の状況項目について同時に判定を行うことができる。例えば、判定基準は、複数の状況項目について同時に判定を行う機械学習によって作成された学習済みモデルを含み得る。このような場合には、ステップＳ５１２において複数の項目が選択され得る。
【０１３７】
判定基準選択部３２１は、ステップＳ５１２において選択した状況項目（ここでは単に選択項目と呼ぶ）に対して複数の判定基準が定められている場合には、ステップＳ５１１において取得された仮想センシングデータ１３に対応する１つを選択する（ステップＳ５１３）。なお、選択項目に対して１つだけ判定基準が定められている場合にはステップＳ５１３はスキップされてよい。
【０１３８】
状況判定部３２２は、ステップＳ５１３において選択された判定基準を適用するために必要な物理センシングデータの生データおよびその加工済データを準備する（ステップＳ５１４）。ここで、判定基準を適用するために必要な物理センシングデータは、例えば、判定基準に含まれる基準値が定められた物理センシングデータの生データまたはその加工済データであってもよいし、判定基準に含まれる学習済みモデルの設定されたニューラルネットワークの入力データとして定められた物理センシングデータの生データまたはその加工済データであってもよい。
【０１３９】
状況判定部３２２は、ステップＳ５１３において選択された判定基準を、ステップＳ５１４において準備したデータに適用することで、状況が選択項目に該当するか否かを判定する（ステップＳ５１５）。判定基準をデータに適用することは、判定基準に含まれる基準値と対応するデータとを比較することであってもよいし、判定基準に含まれる学習済みモデルの設定されたニューラルネットワークにデータを与えることであってもよい。
【０１４０】
状況判定部３２２は、ステップＳ５１５の判定結果に応じて、仮想センシングデータ１２における選択項目の値を設定する（ステップＳ５１６）。ステップＳ５１６の終了時点で全ての状況項目についての処理が終了していれば図２６の動作は終了し、そうでなければ処理はステップＳ５１２へ戻る（ステップＳ５１７）。
【０１４１】
［作用・効果］  
以上説明したように、本実施形態では、データ生成装置は、判定基準を用いて、物理センシングデータに基づいて周辺装置の動作状況を判定する。従って、このデータ生成装置によれば、周辺装置の動作状況についての判定結果を示す仮想センシングデータを生成することができる。
【０１４２】
また、データ生成装置は、自己の生成した、または外部装置によって生成された、状況の一次的な判定結果を表す第１の仮想センシングデータに基づいて、周辺装置の動作状況の判定を行うために用いる判定基準を選択してもよい。これにより、第１の仮想センシングデータの示す状況によるノイズ等の影響が考慮された判定基準を用いることができるので、物理センサの周囲の周辺装置の動作状況を正確に判定することが可能となる。
【０１４３】
このデータ装置によれば、利用側の要求に合致した仮想センシングデータを柔軟に提供することができる。故に、この仮想センシングデータによれば、利用側におけるセンシングデータの利活用が促進される可能性がある。
【０１４４】
§４  変形例  
以上、本開示の実施の形態を詳細に説明してきたが、前述までの説明はあらゆる点において本開示の例示に過ぎない。本開示の範囲を逸脱することなく種々の改良や変形を行うことができることは言うまでもない。例えば、以下のような変更が可能である。なお、以下では、上記実施形態と同様の構成要素に関しては同様の符号を用い、上記実施形態と同様の点については、適宜説明を省略した。以下の変形例は適宜組み合わせ可能である。
【０１４５】
＜４．１＞  
例えば、データ生成装置２００はセンサ装置に組み込まれ得る。図２７は、データ生成装置２００を組み込んだセンサ装置の機能構成の一例を模式的に示す。なお、このセンサ装置のハードウェア構成は、図２に示した構成例と同一または類似であり得る。
【０１４６】
図２７のセンサ装置は、データ生成装置２００と、物理センサ制御部６０１と、物理センサ部６１０と、送信部６２１と、判定基準記憶部６２２と、受信部６２３とを含む。  
物理センサ制御部６０１は、物理センサ部６１０の動作を制御する。
【０１４７】
物理センサ部６１０は、物理センサ制御部６０１によって制御され、１種類または複数種類の物理量を測定し、当該物理量を表す物理センシングデータを生成する。物理センサ部６１０は、物理センシングデータを送信部６２１およびデータ生成装置２００へ送る。
【０１４８】
物理センサ部６１０は、例えば、照度を測定する照度センサ６１１、音圧を測定する音圧センサ６１２、加速度を測定する加速度センサ６１３、揮発性有機化合物（ＶＯＣ）またはＣＯ２などのガス濃度を測定するガスセンサ６１４、気圧を測定する気圧センサ６１５などを含み得る。ただし、ここに列挙された各種物理センサは例示に過ぎず、物理センサ部６１０は、これらのセンサとは異なるセンサを含んでもよいし、これらのセンサの一部または全部を含まなくてもよい。
【０１４９】
送信部６２１は、物理センサ部６１０から物理センシングデータを受け取り、データ生成装置２００から仮想センシングデータを受け取る。送信部６２１は、この物理センシングデータおよび仮想センシングデータを、上位の通信装置若しくはサーバ、またはアプリケーション装置へ送信する。なお、送信部６２１は、物理センシングデータおよび仮想センシングデータを結合してから送信してもよいし、別個のデータのまま送信してもよい。また、送信部６２１は、物理センシングデータおよび仮想センシングデータの宛先および／または経路を異ならせてもよい。
【０１５０】
判定基準記憶部６２２は、データ生成装置２００によって用いられる判定基準を保存する。判定基準記憶部６２２に保存された判定基準は、データ生成装置２００（に含まれる判定基準取得部３０３）によって、必要に応じて読み出される。判定基準は、判定基準記憶部６２２にプリセットされていてもよいし、図２７のセンサ装置の内部で作成されてもよいし、外部装置（例えば、サーバ）によって作成され受信部６２３によって受信されてもよい。
【０１５１】
受信部６２３は、例えば、外部装置（例えば、サーバ）によって作成された判定基準を、判定基準記憶部６２２へ送る。この判定基準は、判定基準記憶部６２２に保存される。このほか、受信部６２３は、外部装置（例えば、上位の通信装置またはサーバ）から仮想センシングデータを受信し、この仮想センシングデータをデータ生成装置２００へ送ってもよい。この仮想センシングデータは、例えば仮想センシングデータ１３として利用することもできる。
【０１５２】
データ生成装置２００は、物理センサ部６１０から物理センシングデータを取得し、判定基準記憶部６２２から判定基準を取得する。さらに、データ生成装置２００は、受信部６２３から、外部装置によって生成された仮想センシングデータを取得し得る。データ生成装置２００は、前述のように動作することで、仮想センシングデータ１１および仮想センシングデータ１２の一部または全部を生成し、送信部６２１へ送る。
【０１５３】
以上説明したように、変形例＜４．１＞では、実施形態に係るデータ生成装置２００がセンサ装置に組み込まれる。故に、この変形例によれば、物理センシングデータに加えて仮想センシングデータを生成するインテリジェントなセンサ装置を提供することができる。また、この変形例によれば、データ生成装置２００を、センサ装置のプロセッサおよびメモリなどのハードウェア資源を利用して実現することができる。
【０１５４】
＜４．２＞  
例えば、データ生成装置２００は通信装置に組み込まれ得る。図２８は、データ生成装置２００を組み込んだ通信装置の機能構成の一例を模式的に示す。なお、この通信装置のハードウェア構成は、図２に示した構成例と同一または類似であり得る。
【０１５５】
図２８の通信装置は、例えばスマートフォンまたは各種ＰＣであってよい。この通信装置は、データ生成装置２００と、受信部７０１と、判定基準記憶部７０２と、送信部７０３とを含む。
【０１５６】
受信部７０１は、外部装置（例えば、センサ装置）から物理センシングデータを受信し、これをデータ生成装置２００および送信部７０３へ送る。また、受信部７０１は、外部装置（例えば、上位の通信装置またはサーバ）から仮想センシングデータを受信し、これをデータ生成装置２００に送り得る。この仮想センシングデータは、例えば仮想センシングデータ１３として利用することもできる。同様に、受信部７０１は、外部装置（例えば、サーバ）から判定基準を受信し、これを判定基準記憶部７０２に送り得る。この判定基準は、判定基準記憶部７０２に保存される。
【０１５７】
判定基準記憶部７０２は、データ生成装置２００によって用いられる判定基準を保存する。判定基準記憶部７０２に保存された判定基準は、データ生成装置２００（に含まれる判定基準取得部３０３）によって、必要に応じて読み出される。判定基準は、判定基準記憶部７０２にプリセットされていてもよいし、図２８の通信装置の内部で作成されてもよいし、外部装置（例えば、サーバ）によって作成され受信部７０１によって受信されてもよい。
【０１５８】
送信部７０３は、受信部７０１から物理センシングデータを受け取り、データ生成装置２００から仮想センシングデータを受け取る。送信部７０３は、この物理センシングデータおよび仮想センシングデータを、上位の通信装置若しくはサーバ、またはアプリケーション装置へ送信する。なお、送信部７０３は、物理センシングデータおよび仮想センシングデータを結合してから送信してもよいし、別個のデータのまま送信してもよい。また、送信部７０３は、物理センシングデータおよび仮想センシングデータの宛先および／または経路を異ならせてもよい。
【０１５９】
データ生成装置２００は、受信部７０１から物理センシングデータを取得し、判定基準記憶部７０２から判定基準を取得する。さらに、データ生成装置２００は、受信部７０１から、外部装置によって生成された仮想センシングデータを取得し得る。データ生成装置２００は、前述のように動作することで、仮想センシングデータ１１および仮想センシングデータ１２の一部または全部を生成し、送信部７０３へ送る。
【０１６０】
以上説明したように、変形例＜４．２＞では、実施形態に係るデータ生成装置２００が通信装置に組み込まれる。故に、この変形例によれば、センサ装置が、前述の仮想センシングデータ１１および仮想センシングデータ１２の少なくとも一部を生成できない場合にも、必要な仮想センシングデータを補充することができる。また、この変形例によれば、データ生成装置２００を、通信装置のプロセッサおよびメモリなどのハードウェア資源を利用して実現することができる。
【０１６１】
＜４．３＞  
例えば、データ生成装置２００はサーバに組み込まれ得る。図２９は、データ生成装置２００を組み込んだサーバの機能構成の一例を模式的に示す。なお、このサーバのハードウェア構成は、図２に示した構成例と同一または類似であり得る。
【０１６２】
図２９のサーバは、データ生成装置２００と、受信部８０１と、判定基準記憶部８０２と、仮想センシングデータ記憶部８０３と、物理センシングデータ記憶部８０４と、提供側データカタログ記憶部８０５と、利用側データカタログ記憶部８０６と、マッチング部８０７と、データ管理部８０８と、送信部８０９とを含む。
【０１６３】
受信部８０１は、外部装置（例えば、センサ装置）から物理センシングデータを受信し、これをデータ生成装置２００および物理センシングデータ記憶部８０４へ送る。また、受信部８０１は、外部装置から仮想センシングデータを受信し、これをデータ生成装置２００に送り得る。この仮想センシングデータは、例えば仮想センシングデータ１３として利用することもできる。同様に、受信部８０１は、外部装置から判定基準を受信し、これを判定基準記憶部８０２に送り得る。この判定基準は、判定基準記憶部８０２に保存される。
【０１６４】
受信部８０１は、マッチングに用いられる提供側データカタログを外部装置（例えば、通信装置）から受信し、これを提供側データカタログ記憶部８０５へ送り得る。この提供側データカタログは、提供側データカタログ記憶部８０５に保存される。同様に、受信部８０１は、マッチングに用いられる利用側データカタログを外部装置（例えば、アプリケーション装置）から受信し、これを利用側データカタログ記憶部８０６へ送り得る。この利用側データカタログは、利用側データカタログ記憶部８０６に保存される。
【０１６５】
判定基準記憶部８０２は、データ生成装置２００によって用いられる判定基準を保存する。判定基準記憶部８０２に保存された判定基準は、データ生成装置２００（に含まれる判定基準取得部３０３）によって、必要に応じて読み出される。判定基準は、判定基準記憶部８０２にプリセットされていてもよいし、図２９のサーバの内部で作成されてもよいし、外部装置によって作成され受信部８０１によって受信されてもよい。
【０１６６】
仮想センシングデータ記憶部８０３は、データ生成装置２００によって生成された仮想センシングデータを保存する。仮想センシングデータ記憶部８０３に保存された仮想センシングデータは、データ管理部８０８によって、必要に応じて読み出される。
【０１６７】
物理センシングデータ記憶部８０４は、受信部８０１によって受信された物理センシングデータを保存する。物理センシングデータ記憶部８０４に保存された物理センシングデータは、データ管理部８０８によって、必要に応じて読み出される。
【０１６８】
提供側データカタログ記憶部８０５は、例えば、受信部８０１によって受信され、または直接入力された提供側データカタログを保存する。提供側データカタログ記憶部８０５に保存された提供側データカタログは、マッチング部８０７によって、必要に応じて読み出される。
【０１６９】
利用側データカタログ記憶部８０６は、例えば、受信部８０１によって受信され、または直接入力された利用側データカタログを保存する。利用側データカタログ記憶部８０６に保存された利用側データカタログは、マッチング部８０７によって、必要に応じて読み出される。
【０１７０】
マッチング部８０７は、提供側データカタログ記憶部８０５から提供側データカタログを読み出し、利用側データカタログ記憶部８０６から利用側データカタログを読み出す。マッチング部８０７は、提供側データカタログと利用側データカタログとの売買マッチングを行う。例えば、マッチング部８０７は、利用側データカタログに含まれる少なくとも一部の項目と提供側データカタログに含まれる対応項目とを比較し、利用側の要求に合致した提供側データカタログを抽出する。マッチング部８０７は、売買マッチングが成立した場合には、その旨をデータ管理部８０８に通知する。なお、マッチング部８０７は、利用側の要求に合致した提供側データカタログが発見された場合に、利用側および／または提供側にデータ売買についての承認を求めてから、売買マッチングの成立をデータ管理部８０８に通知してもよい。
【０１７１】
データ管理部８０８は、マッチング部８０７から売買マッチングが成立したことを通知されると、提供側の物理センシングデータおよび／または仮想センシングデータを物理センシングデータ記憶部８０４および／または仮想センシングデータ記憶部８０３から読み出し、送信部８０９へ送る。
【０１７２】
送信部８０９は、データ管理部８０８から物理センシングデータおよび／または仮想センシングデータを受け取り、これをアプリケーション装置へ送信する。なお、送信部８０９は、物理センシングデータおよび仮想センシングデータを結合してから送信してもよいし、別個のデータのまま送信してもよい。また、送信部８０９は、物理センシングデータおよび仮想センシングデータの宛先および／または経路を異ならせてもよい。
【０１７３】
データ生成装置２００は、受信部８０１から物理センシングデータを取得し、判定基準記憶部８０２から判定基準を取得する。さらに、データ生成装置２００は、受信部８０１から、外部装置によって生成された仮想センシングデータを取得し得る。データ生成装置２００は、前述のように動作することで、仮想センシングデータ１１および仮想センシングデータ１２の一部または全部を生成し、仮想センシングデータ記憶部８０３へ送る。この仮想センシングデータは仮想センシングデータ記憶部８０３に保存される。
【０１７４】
以上説明したように、変形例＜４．３＞では、実施形態に係るデータ生成装置２００がサーバに組み込まれる。故に、この変形例によれば、センサ装置などの下位の装置が、前述の仮想センシングデータ１１および仮想センシングデータ１２の少なくとも一部を生成できない場合にも、必要な仮想センシングデータを補充することができる。また、この変形例によれば、データ生成装置２００を、サーバのプロセッサおよびメモリなどのハードウェア資源を利用して実現することができる。
【０１７５】
なお、変形例＜４．３＞に係るサーバは、売買マッチングを直接的に行わずに、図示されないマッチングサーバに売買マッチングを委ねてもよい。この場合には、売買マッチングに関する構成要素、例えば、提供側データカタログ記憶部８０５、利用側データカタログ記憶部８０６およびマッチング部８０７は省略可能である。
【０１７６】
＜４．４＞
例えば、データ生成装置２００はアプリケーション装置に組み込まれ得る。このアプリケーション装置の機能構成は、例えば図２８に示した通信装置における送信部７０３を物理センシングデータおよび／または仮想センシングデータの利活用を行うための構成要素に置き換えたものに相当し得る。
【０１７７】
この変形例＜４．４＞に係るアプリケーション装置によれば、前述の仮想センシングデータ１１および仮想センシングデータ１２の少なくとも一部を含まないデータが提供される場合にも、必要な仮想センシングデータを補充して利活用することができる。また、この変形例によれば、データ生成装置２００を、アプリケーション装置のプロセッサおよびメモリなどのハードウェア資源を利用して実現することができる。
【０１７８】
＜４．５＞  
仮想センシングデータ１１および／または仮想センシングデータ１２は、物理センシングデータおよび／または仮想センシングデータの測定環境を示すメタデータとして扱うこともできる。かかるメタデータを利用することで、物理センシングデータおよび／または仮想センシングデータの利活用のための前処理を容易にすることができる。また、メタデータを利用することで、物理センシングデータおよび／または仮想センシングデータの整理、例えばテーブルの生成が容易となる。さらに、メタデータを利用することでイベントの検出も可能となる。
【０１７９】
＜４．６＞  
実施形態の説明では、学習済みモデルを設定したニューラルネットワークを用いて状況の判定および／または信頼性の算出を実現する例を紹介した。このようなＡＩ（Ａｒｔｉｆｉｃｉａｌ  Ｉｎｔｅｌｌｉｇｅｎｃｅ）を利用したアプローチでは、因果関係モデル、決定木、サポートベクターマシン（ＳＶＭ）などを利用することもできる。
【０１８０】
ただし、ここまで説明した実施形態は全て、あらゆる点において本開示の例示に過ぎない。本開示の範囲を逸脱することなく種々の改良や変形を行うことができることは言うまでもない。つまり、本開示の実施にあたって、実施形態に応じた具体的構成が適宜採用されてもよい。なお、各実施形態において登場するデータを自然言語により説明しているが、より具体的には、コンピュータが認識可能な疑似言語、コマンド、パラメータ、マシン語等で指定される。
【０１８１】
上記各実施形態の一部または全部は、特許請求の範囲のほか以下に示すように記載することも可能であるが、これに限られない。
【０１８２】
物理センサがセンシング対象を観測することよって得られた物理センシングデータを取得する第１の取得部（１０１）と、
前記物理センサの周囲の状況についての判定結果を表す第１の仮想センシングデータを取得する第２の取得部（１０２）と、
判定対象となる状況項目に対して定められた複数の判定基準を取得する第３の取得部（１０３）と、
取得された前記複数の判定基準から前記第１の仮想センシングデータに対応する１つの判定基準を選択する選択部（１１１）と、
前記状況項目のそれぞれについて、選択された前記判定基準を用いて、取得された前記物理センシングデータに基づいて前記物理センサの周囲の周辺装置の動作状況を判定し、当該周辺装置の動作状況についての判定結果を表す第２の仮想センシングデータを生成する判定部（１１２）と
を具備する、データ生成装置。
【符号の説明】
【０１８３】
１１，１２，１３・・・仮想センシングデータ
１００，２００・・・データ生成装置
１０１，３０１・・・物理センシングデータ取得部
１０２，３０２・・・仮想センシングデータ取得部
１０３，３０３・・・判定基準取得部
１１１，３２１・・・判定基準選択部
１１２，３１１，３２２・・・状況判定部
２１１・・・制御部
２１２・・・記憶部
２１３・・・通信インタフェース
２１４・・・入力装置
２１５・・・出力装置
２１６・・・外部インタフェース
２１７・・・ドライブ
２１８・・・記憶媒体
３１０・・・第１の仮想センシングデータ生成部
３２０・・・第２の仮想センシングデータ生成部
３３０・・・データ出力部
４００・・・センサ装置
４１０・・・通信装置
４２０・・・サーバ
４３０・・・アプリケーション装置
６０１・・・物理センサ制御部
６１０・・・物理センサ部
６１１・・・照度センサ
６１２・・・音圧センサ
６１３・・・加速度センサ
６１４・・・ガスセンサ
６１５・・・気圧センサ
６２１，７０３，８０９・・・送信部
６２２，７０２，８０２・・・判定基準記憶部
６２３，７０１，８０１・・・受信部
８０３・・・仮想センシングデータ記憶部
８０４・・・物理センシングデータ記憶部
８０５・・・提供側ＤＣ記憶部
８０６・・・利用側ＤＣ記憶部
８０７・・・マッチング部
８０８・・・データ管理部
【図１】
2019101742.tif 000003
【図２】
2019101742.tif 000004
【図３】
2019101742.tif 000005
【図４】
2019101742.tif 000006
【図５】
2019101742.tif 000007
【図６】
2019101742.tif 000008
【図７】
2019101742.tif 000009
【図８】
2019101742.tif 000010
【図９】
2019101742.tif 000011
【図１０】
2019101742.tif 000012
【図１１】
2019101742.tif 000013
【図１２】
2019101742.tif 000014
【図１３】
2019101742.tif 000015
【図１４】
2019101742.tif 000016
【図１５】
2019101742.tif 000017
【図１６】
2019101742.tif 000018
【図１７】
2019101742.tif 000019
【図１８】
2019101742.tif 000020
【図１９】
2019101742.tif 000021
【図２０】
2019101742.tif 000022
【図２１】
2019101742.tif 000023
【図２２】
2019101742.tif 000024
【図２３】
2019101742.tif 000025
【図２４】
2019101742.tif 000026
【図２５】
2019101742.tif 000027
【図２６】
2019101742.tif 000028
【図２７】
2019101742.tif 000029
【図２８】
2019101742.tif 000030
【図２９】
2019101742.tif 000031